(57)【要約】  高輝度放電ランプは、電気絶縁性のアーク管を含む。密封されたシュラウドが、アーク管を包囲している。導電性のフレーム部材が、シュラウドの内部に配置され、アーク管において延長する導電体に電気的に接続されている。導電性フォイルが、フレーム部材に固定されており、少なくとも２７０度から３６０度の範囲にある角度だけアーク管の脚部の１つを包囲する閉ループを形成する。フォイルは、フレーム部材とそれ自体とに接続されることがありうる。アーク管脚部のフランジの外部表面からフォイルの近位エッジまでの距離は、１．５から８ｍｍの範囲にありうる。フォイルの幅は、１ｍｍから４ｍｍの範囲でありうる。【選択図】図１
2014521194.tif 000002
【特許請求の範囲】
【請求項１】
内部放電領域を形成する中央部分とそれぞれが前記中央部分から延長する２つの脚部とを有する光透過材料で構成されている電気絶縁性アーク管と、
それぞれが前記脚部の１つを通過して延長し、前記放電領域において相互に離間している導電体と、
前記アーク管を包囲する光透過性材料と、中を通過する前記導電体への電気的接続部とで構成されている密封されたシュラウドと、
前記シュラウドの内部に配置されており、前記導電体の１つに電気的に接続されている導電性フレーム部材と、
前記フレーム部材に固定され前記導電体の１つの周囲で前記アーク管の前記脚部の１つを包囲する閉ループを形成する導電性フォイルを備えている点火補助装置であって、前記フォイルは前記脚部を少なくとも２７０度から３６０度の範囲で包囲している、点火補助装置と、を備えており、
前記フォイルが、第１および第２の端部と、前記２つの端部の間にあり前記アーク管の脚部を包囲する中央部分とを含み、前記フォイルの前記第１の端部は前記フレーム部材に接続されており、前記フォイルの前記第２の端部は前記フォイルの前記中央部分と前記第１の端部との間で前記フォイルに接続されている、高輝度放電ランプ。
【請求項２】
前記フォイルが前記脚部を少なくとも３００度から３６０度の範囲だけ包囲する、請求項１記載の高輝度放電ランプ。
【請求項３】
前記フォイルが前記脚部を少なくとも３２０度から３６０度の範囲だけ包囲する、請求項２記載の高輝度放電ランプ。
【請求項４】
前記アーク管の他方の脚部の外部表面を包囲する導電体が存在しない、請求項１記載の高輝度放電ランプ。
【請求項５】
前記アーク管の前記中央部分の外部表面上に配置された導電体が存在しない、請求項１記載の高輝度放電ランプ。
【請求項６】
前記フォイルの幅が１ｍｍから４ｍｍの範囲にある、請求項１記載の高輝度放電ランプ。
【請求項７】
前記フォイルの幅が１ｍｍから３ｍｍの範囲にある、請求項６記載の高輝度放電ランプ。
【請求項８】
前記フォイルの幅が１ｍｍから２ｍｍの範囲にある、請求項６記載の高輝度放電ランプ。
【請求項９】
前記フォイルの厚さが０．２ｍｍ未満である、請求項１記載の高輝度放電ランプ。
【請求項１０】
前記フォイルの厚さが０．０１ｍｍから０．１５ｍｍの範囲にある、請求項９記載の高輝度放電ランプ。
【請求項１１】
前記フォイルの厚さが０．０１ｍｍから０．０８ｍｍの範囲にある、請求項９記載の高輝度放電ランプ。
【請求項１２】
前記脚部はそれぞれが、フランジと、前記フランジが前記中央部分と接するように前記フランジから前記放電領域の中へ延長するボスとを含む、請求項１記載の高輝度放電ランプ。
【請求項１３】
前記フランジの外部表面から前記フォイルの近位エッジへの距離が８ｍｍを超えない、請求項１２記載の高輝度放電ランプ。
【請求項１４】
前記フランジの外部表面から前記フォイルの近位エッジへの距離が２ｍｍを超えない、請求項１２記載の高輝度放電ランプ。
【請求項１５】
前記アーク管が多結晶アルミナを含む、請求項１記載の高輝度放電ランプ。
【請求項１６】
前記放電領域が、不活性ガスと、クリプトンガスと、ある線量の水銀およびメタルハライドとを含む、請求項１記載の高輝度放電ランプ。
【請求項１７】
前記放電領域に存在するアルゴンガスとＫｒ85ガスとの混合物が０．１６ＭＢｑ／ｌｉｔｅｒを超えない放射能濃度を有する、請求項１６記載の高輝度放電ランプ。
【請求項１８】
前記導電体が、電圧が印加される第１の導体と、第２の導体とを含み、前記フレーム部材は前記第２の導体に電気的に接続されており、前記フォイルは前記脚部の周囲に巻かれているが前記第１の導電体からは電気的に絶縁されている、請求項１記載の高輝度放電ランプ。
【請求項１９】
前記フォイルの厚さに対する前記フォイルの幅の比率が６．６：１から４００：１の範囲にある、請求項１記載の高輝度放電ランプ。
【請求項２０】
前記フォイルの前記第１の端部が前記フレーム部材に接続されており、前記フォイルの前記第２の端部が溶接によって前記フォイルに接続されている、請求項１記載の高輝度放電ランプ。
【請求項２１】
前記フォイルが、Ｎｂ、Ｍｏ、Ｔａ、Ｐｔ、Ｒｅ、Ｗ、Ｎｉ、これらの組み合わせ、および、前記卑金属の任意のものと前記卑金属の１つまたは複数で構成されたクラッディングとの組み合わせから構成されたグループから選択された卑金属で構成されている、請求項１記載の高輝度放電ランプ。
【請求項２２】
内部放電領域を形成する中央部分とそれぞれが前記中央部分から延長する２つの脚部とを有する光透過材料で構成されている電気絶縁性アーク管であって、前記脚部はそれぞれが、フランジと、前記フランジが前記中央部分と接するように前記フランジから前記放電領域の中に延長するボスと、を含む、電気絶縁性アーク管と、
それぞれが前記脚部の１つを通過して延長し、前記放電領域において相互に離間している導電体と、
前記アーク管を包囲する光透過性材料と、中を通過する前記導電体への電気的接続部とで構成されている密封されたシュラウドと、
前記シュラウドの内部に配置されており、前記導電体の１つに電気的に接続されている導電性フレーム部材と、
前記フレーム部材に固定され前記導電体の１つの周囲で前記アーク管の前記脚部の１つを包囲する閉ループを形成する導電性フォイルを備えている点火補助装置であって、前記フォイルは前記脚部を少なくとも２７０度から３６０度の範囲で包囲している、点火補助装置と、を備えており、
前記フランジの外部表面から前記フォイルの近位エッジまでの距離が１．５から８ｍｍの範囲である、高輝度放電ランプ。
【請求項２３】
前記フォイルの厚さが０．０１ｍｍから０．１５ｍｍの範囲にある、請求項２２記載の高輝度放電ランプ。
【請求項２４】
前記フォイルの幅が１ｍｍから４ｍｍの範囲にある、請求項２２記載の高輝度放電ランプ。
【請求項２５】
前記放電領域に存在するアルゴンガスとＫｒ85ガスとの混合物が０．１６ＭＢｑ／ｌｉｔｅｒを超えない放射能濃度を有する、請求項２２記載の高輝度放電ランプ。
【請求項２６】
内部放電領域を形成する中央部分とそれぞれが前記中央部分から延長する２つの脚部とを有する光透過材料で構成されている電気絶縁性アーク管と、
それぞれが前記脚部の１つを通過して延長し、前記放電領域において相互に離間している導電体と、
前記アーク管を包囲する光透過性材料と、中を通過する前記導電体への電気的接続部とで構成されている密封されたシュラウドと、
前記シュラウドの内部に配置されており、前記導電体の１つに電気的に接続されている導電性フレーム部材と、
前記フレーム部材に固定され前記導電体の１つの周囲で前記アーク管の前記脚部の１つを包囲する閉ループを形成する導電性フォイルを備えている点火補助装置であって、前記フォイルは前記脚部を少なくとも２７０度から３６０度の範囲で包囲している、点火補助装置と、を備えており、
前記フォイルの幅が、１ｍｍから４ｍｍの範囲にある、高輝度放電ランプ。
【請求項２７】
前記脚部のそれぞれが、フランジと、前記フランジが前記中央部分に接するように前記フランジから前記放電領域の中へ延長するボスと、を含んでおり、前記フランジの外部表面から前記フォイルの近位エッジへの距離が１．５から８ｍｍの範囲にある、請求項２６記載の高輝度放電ランプ。
【請求項２８】
前記フォイルの厚さが０．０１ｍｍから０．１５ｍｍの範囲にある、請求項２６記載の高輝度放電ランプ。
【請求項２９】
前記放電領域に存在するアルゴンガスとＫｒ85ガスとの混合物が０．１６ＭＢｑ／ｌｉｔｅｒを超えない放射能濃度を有する、請求項２６記載の高輝度放電ランプ。
【発明の詳細な説明】
【技術分野】
【０００１】
本開示は、高輝度放電ランプに関し、更に詳しくは、そのランプにおいて用いられる点火補助装置に関する。
【背景技術】
【０００２】
自発放電を始動するのに必要とされるブレークダウン速度および電子数には差異が存在するが、基礎となるブレークダウン機構は、低圧放電（例えば、蛍光ランプ）であっても高圧放電（アーク放電ランプ）であっても同じである。放電は、逆の電位が与えられている２つの導体の間で始動される。導体の間の空間は気体で構成されているのが通常であり、それを密閉容器の中に閉じ込めることにより気体の質／純度を維持する努力がなされる。放電の本質的な最終結果は、２つの導体の間でのプラズマの生成である。プラズマは、そうでない場合には絶縁体すなわち初期状態にある気体に電流を導通させることを可能にするような電子とイオンとを等しい比率で含む導電性媒体として定義される。
【０００３】
最初、アーク管に含まれている気体は非導電的である。導体上に電位が印加されると、これによって、気体の原子から外側の軌道にある電子を取り去り自由電子を生成するのに好ましい状況が生じ、自由電子が導体の間に生じている電場により気体中で加速され、気体の原子との衝突により更に多くの電子が生じ、気体原子はイオン化される。電場が十分に強い場合には、そのようにして生じたそれぞれの電子は、気体原子およびイオンとの非弾性衝突により追加的な電子を生じ、電子雪崩を引き起こす。この電子雪崩が放電を生じさせる。しかし、電場による気体原子の単純な絶縁破壊によってそのような電子を生じさせるには、数キロボルトの電位が必要である。電位が高くなればなるほど、更に高価な外部電子回路が必要となり、商業的な実現が困難となる可能性がある。外部ジャケットやキャップベースの領域において、望まないブレークダウンが生じる可能性もある。
【０００４】
商業的な用途のための放電では、自由電子の追加的な供給源が用いられることによって、放電を開始させるためにそのような高電圧を生じさせる必要性が取り除かれる。そのような外部供給源としては、加熱されたフィラメント、常に存在する宇宙線の使用、または放射線崩壊による電子供給源を設けることがありうる。加熱されたフィラメントは、高輝度放電（ＨＩＤ）ランプでは現実的ではなく、宇宙線による自然放射線は、他の方法により放電開始電圧を引き下げない限り、点火を開始させるのに必要な非常に高い電場の必要性を劇的に低下させるには不十分である。
【０００５】
放射線崩壊により電子の供給源を提供するには、典型的には、ＨＩＤアーク管において過去に用いられてきたのは、Ｋｒ85などの放射性ガスであり、その場合、崩壊生成物のほとんどはベータ粒子（すなわち、電子）である。Ｋｒ85の半減期は１０．８年であり、その崩壊生成物の９９．６％は、最大運動エネルギが６８７ｋｅｖであるベータ粒子（すなわち、電子）である。これらの電子は非常に高いエネルギを有し、多くの点で自由電子の理想的な供給源であり、これらの応用例などとして広く用いられている。しかし、放射線崩壊によってこのような高エネルギの電子を十分に提供するために、著しい量のこの気体がＨＩＤランプにおいて用いられてきた。
【０００６】
そのようなランプにＫｒ85が存在することによって、導体上に非常に高い電位を提供する必要性が小さくなり、それによって、外部の電気回路（安定器）とシステム設計とがより単純化され、より費用効率的になる。典型的な応用例では、典型的にはミリ秒（マイクロ秒）の範囲で非常に短い時間の間に高い電気パルスを提供する安定器と共に、そのような放射性の気体を用いるが、これが、先に述べた電子雪崩を生じさせるのに非常に効果的なのである。しかし、最近のＵＮ２９１１号政府規制が、ランプにおいて用いられる放射性Ｋｒ85の量を制限している。これらの規制は、先の段落で述べたように従来用いられてきたＫｒ85をＨＩＤ製造業者が大量に用いることを禁止している。
【０００７】
高輝度放電ランプの点火を改善するために、多くの点火補助装置が設計されてきた。米国特許出願公開第２００２／０１８５９７３号には、アーク管の両方の脚部と中央の本体との周囲に点火補助と封じ込めとのためにワイヤが巻かれているランプが開示されているが、これらは、電極に接続されていない。別の参照文献として、米国特許第５，５４１，４８０には、電極の間で一定の直径を有するアーク管の外部表面上にコーティングされている導体が一方の電極に接触する導電性のフレームワイヤに接続されている点火補助装置が開示されている。米国特許第６，２２２，３２０号には、中央の本体部分と当該本体部分から延長している直径がより小さな脚部とを有するアーク管を含むランプのための点火補助装置が開示されており、この点火補助装置では、一方の電極と接触する導電性のフレームワイヤと接触している導体が、アーク管の中央本体部分にだけ接触している。
【０００８】
ＨＩＤランプにおけるＫｒ85の含有量を減少させる必要性は存在するが、その減少は、放電の始動への深刻な影響を与える可能性があり、更には結果的に受け入れ不可能なパフォーマンスを生じさせうる。本発明は、Ｋｒ85ガスの含有量を低下させることの悪影響を除去する手段について、説明する。
【先行技術文献】
【特許文献】
【０００９】
【特許文献１】米国特許第２００４／２２７４４５号
【発明の概要】
【課題を解決するための手段】
【００１０】
本開示のある実施形態では、高輝度放電ランプが、中央部分とそれぞれが中央部分から延長する２つの脚部とを有する光透過材料を含む電気絶縁性アーク管を含む。中央部分は、イオン化可能な材料が中に密封されている内部放電領域を形成する。導電体は、それぞれが、脚部の１つを通過して延長し、放電領域において相互に離間している。光透過性の材料を含む密封されたシュラウドが、アーク管を包囲しており、この密封されたシュラウドを通過する導電体への電気的接続部が存在する。導電性フレーム部材が、シュラウドの内部に配置されており、導電体の１つに電気的に接続されている。導電性フォイルを含む点火補助装置が、フレーム部材に固定されており、導電体の１つの周囲でアーク管の脚部の１つを包囲する閉ループを形成する。フォイルは、隣接する導電体から絶縁されている。フォイルは、脚部を少なくとも２７０度から３６０度の範囲で包囲している。フォイルは、２つの端部と、これら２つの端部の間にありアーク管の脚部を包囲する中央部分とを含む。フォイルの第１の端部はフレーム部材に接続されており、フォイルの第２の端部はフォイルの中央部分と第１の端部との間でフォイルに接続されている。
【００１１】
本開示の高輝度放電ランプの以下の特定の態様を参照すると、これらは、ここで開示されているすべての実施形態において、単独で、または、任意の組み合わせで用いることができるのであるが、アーク管の脚部と中央部分とは円形の断面の形状を有する。脚部の直径は、アーク管よりも小さい。フォイルは、脚部を少なくとも３００度から３６０度の範囲だけ包囲することがあり、特に、少なくとも３２０度から３６０度の範囲だけ包囲することがある。アーク管の他方の脚部（フォイルと接触していない脚部）の外部表面を包囲する導電体や、アーク管の中央部分の外部表面上に配置された導電体は、存在しない。フォイルの幅は、１．０ｍｍから４．０ｍｍの範囲にあり、更に詳しくは、１．０ｍｍから３．０ｍｍの範囲にあり、特に、１．０ｍｍから２．０ｍｍの範囲にある。フォイルの厚さは、０．２ｍｍ未満であり、更に詳しくは、０．０１ｍｍから０．１５ｍｍの範囲にあり、特に、０．０１ｍｍから０．０８ｍｍの範囲にあり、具体的には０．０７６ｍｍである。フォイルの厚さに対するフォイルの幅の比率は、６．６対１から４００対１の範囲にある。脚部はそれぞれが、フランジと、フランジが中央部分と接するようにフランジから放電領域の中へ延長するボスとを含みうる。中央部分は、円筒型の樽でありうる。フランジの外部表面からフォイルの近位エッジへの距離は、８．０ｍｍを超えず、特に、２．０ｍｍを超えない。
【００１２】
アーク管は、多結晶アルミナを含みうる。放電領域は、不活性ガス（例えば、アルゴンガス）と、クリプトンガスと、ある線量の水銀およびメタルハライドとで充填することができる。放電領域に存在するアルゴンガスとＫｒ85ガスとの混合物は、０．１６ＭＢｑ／ｌｉｔｅｒを超えない放射能濃度を有しうる。アーク管は、１００〜５００ミリバールの圧力でありうる。導電体は、電圧が印加される第１の導体と、アーク管において第１の導体から離間している第２の導体とを含み、フレーム部材は第２の導体に電気的に接続され（そして、第１の導体には接続していない）、フォイルは第１の導体の周囲の脚部の周囲に巻かれている。フォイルの第１の端部は、フレーム部材に接続することができ、フォイルの第２の端部は、溶接によってフォイルに接続することができる。フォイルは、Ｎｂ、Ｍｏ、Ｔａ、Ｐｔ、Ｒｅ、Ｗ、Ｎｉ、これらの組み合わせ、および、これらの卑金属の任意のものとこれらの卑金属の１つまたは複数で構成されたクラッディングとの組み合わせで構成されるグループから選択された卑金属で構成されうる。
【００１３】
本開示の第２の実施形態は、高輝度放電ランプを特徴とする。光透過性材料で構成されている電気絶縁性アーク管は、中央部分とそれぞれが中央部分から延長する２つの脚部とを有する。中央部分は、内部放電領域を形成する。脚部のそれぞれが、フランジと、フランジが中央部分に接するようにフランジから放電領域の中に延長するボスとを含む。導電体は、それぞれが、脚部の１つを通過して延長し、放電領域において相互に離間している。光透過性材料を含む密封されたシュラウドが、アーク管を包囲し、この密封されたシュラウドを通過する導電体への電気的接続部が存在する。シュラウドの内部に配置された導電性フレーム部材が、導電体の１つに電気的に接続されている。点火補助装置は、フレーム部材に固定されていて導電体の１つの周囲でアーク管の脚部の１つを包囲する閉ループを形成する導電性フォイルを含む。このフォイルは、脚部を少なくとも２７０度から３６０度の範囲で包囲する。フランジの外部表面からフォイルの近位エッジまでの距離は、１．５から８ｍｍの範囲にある。
【００１４】
第２の実施形態のランプの特定の特徴に関し、フォイルの厚さは、０．０１ｍｍから０．１５ｍｍの範囲にありうる。フォイルの幅は、１ｍｍから４ｍｍの範囲にありうる。放電領域に存在するアルゴンガスとＫｒ85ガスとの混合物は、０．１６ＭＢｑ／ｌｉｔｅｒを超えない放射能濃度を有しうる。第１の実施形態のランプとの関係で論じた特定の特徴は、どれも、第２の実施形態のランプにおいても用いることができる。
【００１５】
本開示の第３の実施形態は、中央部分とそれぞれが中央部分から延長する２つの脚部とを有する光透過材料を含む電気絶縁性アーク管を含む高輝度放電ランプを特徴とする。中央部分は、イオン化可能な材料が中に密封されている内部放電領域を形成する。導電体は、それぞれが、脚部の１つを通過して延長し、放電領域において相互に離間している。光透過性の材料を含む密封されたシュラウドが、アーク管を包囲しており、この密封されたシュラウドを通過する導電体への電気的接続部が存在する。導電性フレーム部材が、シュラウドの内部に配置され、導電体の１つに電気的に接続されている。導電性フォイルを含む点火補助装置が、フレーム部材に固定され、導電体の１つの周囲でアーク管の脚部の１つを包囲する閉ループを形成する。フォイルは、隣接する導電体から絶縁されている。フォイルは、脚部を少なくとも２７０度から３６０度の範囲で包囲する。フォイルの幅は、１ｍｍから４ｍｍの範囲にある。
【００１６】
第３の実施形態の特定の態様を参照すると、それぞれの脚部が、フランジと、フランジが中央部分に接するようにフランジから放電領域の中に延長するボスボスとを含みうる。フランジの外部表面からフォイルの近位エッジまでの距離は、１．５から８ｍｍの範囲である。フォイルの厚さは、０．０１ｍｍから０．１５ｍｍの範囲である。放電領域に存在するアルゴンガスとＫｒ85ガスとの混合物は、０．１６ＭＢｑ／ｌｉｔｅｒよりも高くない放射能濃度を有しうる。第１の実施形態のランプとの関係で既に論じた特定の特徴は、どれでも、第３の実施形態のランプにおいても用いることができる。
【００１７】
本開示の高輝度放電ランプは、放射性崩壊による自由電子の利用可能性を制限する低量のＫｒ85ガスを用いたときでも、よい点火を優れて示す。特に、放電領域に存在するアルゴンガスとＫｒ85ガスとの混合物は、０．１６ＭＢｑ／ｌｉｔｅｒよりも高くない放射能濃度を有しうる。フォイル幅と、アーク管脚部の周囲のフォイル包囲角と、アーク管の中央部分からのフォイルの離隔とを含む本開示の高輝度放電ランプのフォイル点火補助装置の特定の特徴は、Ｅｍａｘの増加すなわち電極の先端における最大電場を生じさせるように本開示において決定されており、結果として、低量のＫｒ85ガスが用いられてもランプの点火の改善を提供する。
【００１８】
上部、下部、頂部、底部、右、左などの用語はランプの向きと共に変化する相対的な用語であることを理解すべきである。これらの用語は、本開示の理解を促進するために用いられているのであって、特許請求の範囲で定義されている本発明を制限するために用いられるべきではない。
【００１９】
本発明の多くの追加的特徴、利点およびより完全な理解は、添付の図面と以下の発明の詳細な説明とから得ることができるであろう。上述した発明の概要では、本発明を広い用語を用いて説明した。それに対して、以下の詳細な説明では、本発明をより狭く説明しており、特許請求の範囲で定義されている広い発明の必然的な制限として解釈されるべきではない実施形態を提供している。
【図面の簡単な説明】
【００２０】
【図１】本開示のフォイル点火補助装置を備えたシングルエンド高輝度放電ランプの側面図である。
【図２Ａ】図１のランプの垂直方向の断面図である。
【図２Ｂ】図２Ａのアーク管の拡大された断面図である。
【図３】本開示のフォイル点火補助装置を備えたダブルエンド高輝度放電ランプの側面図である。
【図４】本開示のアーク管とフォイル点火補助装置のある態様とを示す斜視図である。
【図５】本開示のアーク管とフォイル点火補助装置の別の態様とを示す斜視図である。
【図６】図４の６−６で示されている切断面から見た断面図である。
【図７】アーク管の端部の断面図であり、アーク管の脚部をある態様で取り囲んでいるフォイル断面の間の小さな空間を示している。
【図８】アーク管の端部の断面図であり、アーク管の脚部を別の態様で取り囲んでいるフォイル断面の間の小さな空間を示している。
【図９】アーク管の端部の断面図であり、アーク管の脚部を更に別の態様で取り囲んでいるフォイル断面の間の小さな空間を示している。
【図１０】フォイルがフレーム部材と接続し、アーク管の脚部を包囲しうるある構成を示している。
【図１１】フォイルがフレーム部材と接続し、アーク管の脚部を包囲しうる別の構成を示している。
【図１２】フォイルがフレーム部材と接続し、アーク管の脚部を包囲しうる更に別の構成を示している。
【図１３】フォイルがフレーム部材と接続し、アーク管の脚部を包囲しうる更に別の構成を示している。
【図１４】フォイルがフレーム部材と接続し、アーク管の脚部を包囲しうる更に別の構成を示している。
【図１５】フォイルがフレーム部材と接続し、アーク管の脚部を包囲しうる更に別の構成を示している。
【図１６】静電シミュレーションの結果において用いられたアーク管と導体との単純化された幾何学的配置を示す図である。
【図１７】静電シミュレーションの結果において用いられたアーク管と導体との単純化された幾何学的配置を示す図である。
【図１８Ａ】横軸をフォイル幅として、Ｅｍａｘの静電シミュレーションの結果を示す図である。
【図１８Ｂ】横軸をフォイル幅として、Ｅｍａｘの変化を図１８Ａに基づいて示す図である。
【図１９】横軸をアーク管の中央部からの距離ｄとして、Ｅｍａｘの静電シミュレーションの結果を示す図である。
【図２０】横軸をアーク管の脚部の周囲のフォイルの包囲角度として、Ｅｍａｘの静電シミュレーションの結果を示す図である。
【発明を実施するための形態】
【００２１】
図１を参照すると、セラミックメタルハライド高輝度放電ランプ１０は、アーク管１４を包囲する外部シュラウドまたは電球１２を含む。これは、電気的接点がランプの一端にだけ位置するシングルエンド型のランプである。導電性のフレーム部材またはワイヤ１６、１８が、外部電球１２の一端におけるガラスピンチ部分２０に埋め込まれている。外部電球１２の外部にある接触ピン２４から延長するリード線２２は、ピンチ部分２０に位置する導電性フォイル２６によって、フレームワイヤ１６、１８に電気的に接続されている。それぞれのフォイル２６は、リード線２２の１つとフレームワイヤ１６、１８の１つとに溶接されている。導電性のフィードスルー２８、３０が、アーク管のそれぞれの端部の中に延長している。下側のフィードスルー２８は短いフレーム部材１６に溶接され、他方で、上側のフィードスルー３０は長いフレーム部材１８に溶接されている。上側のフィードスルー３０は、長いフレーム部材１８との接続部を超えて上向きに延長し、製造工程の間にフィードスルー３０の周囲で部分的に溶解される外部電球のガラス部分３２と接触する位置に保持される。長いフレーム部材１８は、アーク管の長さに沿って延長するが、外部電球１２の側壁３６の近くでアーク管１４の側部３４からは離間している。フレーム部材１６、１８は、堅固なワイヤで形成されていて、外部電球１２の内部にあるアーク管１４を支持し、その動きを防止する。
【００２２】
図２Ｂを参照すると、アーク管１４は、一定の直径を有する管状の中央にある樽状部分３８と、樽状部分の両端における開口４０とを含む。２つの脚部または毛細管４２が中央部分３８から延長している。アーク管の本体と脚部とは、多結晶アルミナなど光透過性のセラミック材料で形成することができる。脚部４２のそれぞれは、フランジ４４と、そのフランジから、樽状部分３８の内部放電領域４８の中への中央部分の開口４０の中へ延長するボス４６とを含みうる。脚部はそれぞれが内部フランジ表面５０と外部フランジ表面５２とを含み、内部フランジ表面５０は、円筒形の樽状部分３８の側面５４に接している。脚部４２は、その長さに沿った通路５６を含む。導電性フィードスルー２８、３０は、通路５６の中へ延長し、放電領域において相互から離間している電極５８に電気的に接続されている。フィードスルー２８、３０は、導電性である。ある例では、脚部の外部から、中央部分３８から離れている脚部の遠位部分６２の中へ延長するニオブのフィードスルー部分６０が存在する。このニオブのフィードスルー部分６０は、モリブデンのフィードスルー部分６４に電気的に接続されており、モリブデンのフィードスルー部分６４は、その周囲にコイル状に巻かれた材料を備えた中心ワイヤを含みうる。中央部分３８に近接しモリブデンのフィードスルーに接続されている近位の脚部６６には、やはりその周囲にコイル状に巻かれた導電性の材料を含み先端７０を有する電極５８のタングステン部分６８が存在する。フィードスルー部分６４の周囲とタングステン部分６８の周囲とのコイルは、それらが周囲を包囲しているワイヤと同じ材料である。フォイルは、Ｎｂ、Ｍｏ、Ｔａ、Ｐｔ、Ｒｅ、Ｗ、Ｎｉ、これらの組み合わせ、および、これらの卑金属の任意のものとこれらの卑金属の１つまたは複数で構成されたクラッディングとの組み合わせで構成されるグループから選択された卑金属で構成されている。クラッディングは、フォイルの溶接可能性を改善する。当業者であれば、この開示を読む際に、本開示の範囲から逸脱することなくフィードスルーと電極の設計および組成とにおける様々な差異が生じうることを理解するはずである。ガラスフリット７２が、ニオブおよびモリブデンのフィードスルー部分の周囲で脚部４２の通路５６の内部に用いられ、イオン化可能な材料がその中に詰められた後で、アーク管を密封する。フォイル２６は、アーク管の脚部の周囲において、モリブデンのフィードスルーの位置に配置される。フォイル２６は近位エッジ７６と遠位エッジ７８とを有し、近位エッジは、遠位エッジよりも、中央部分３８のより近くに位置する。近位エッジ７６は、脚部４２の外側フランジ表面５２から距離ｄの位置にある。これについては、後でより詳細に論じる。
【００２３】
図３を参照すると、第２の実施形態のセラミックメタルハライド高輝度放電ランプ８０は、アーク管８４を包囲する外部シュラウドまたは電球８２を含む。これは、接点がランプの両端に位置するダブルエンド型のランプである。導電性の端部フレーム部材８６、８８が、外部電球８２の対向するピンチ部分９０のそれぞれにおいてガラスに埋め込まれている。外部電球の外部にある接点９２は、ピンチ部分９０に位置する導電性フォイル９４に、電気的に接続されている。それぞれのフォイル９４は、接点９２の１つの中に適合されているコネクタと、端部フレーム部材８６、８８の１つとに溶接されている。フォイルと接点の間の電気的接続は、示されていない。導電性のフィードスルー９６、９８が、アーク管８４のそれぞれの端部の中に延長している。下側のフィードスルー９６はアーク管の長さに沿って延長する中央フレーム部材８９に溶接されているが、外部電球の側壁１０２に近接するアーク管の側部１００からは離間している。フレーム部材８６、８８、８９は、堅固なワイヤで形成されていて、外部電球８２の内部にあるアーク管８４を支持し、その動きを防止している。中央フレーム部材８９は、アーク管８４の中に延長する一方の導体（フィードスルー９６）と電気的に接続されており、アーク管の他方の脚部上の他方の導体（フィードスルー９８）の周囲のフォイル１０４を支持しながら他方ではその導体から電気的に絶縁されている。第１の実施形態のランプのアーク管１４とそのフィードスルー２８、３０は、アーク管８４とそのフィードスルー９６、９８と同じ特徴を有する。
【００２４】
放電領域４８の中には、不活性ガス（例えばアルゴン）、ハロゲン化金属および水銀を含むイオン化可能な材料が充填される。クリプトン８５（Ｋｒ85）ガスも、政府の規制に従うように減らされた値だけ放電領域で用いられることがあり、例えば、放電領域に存在するアルゴンガスとＫｒ85ガスとの混合物は、０．１６ＭＢｑ／ｌｉｔｅｒを超えない放射線濃度を有しうる。室温でのアーク管における気体の組成は、アルゴンとクリプトンであり、いくらかの水銀を伴う。ランプにおける線量は、例えば、５．７ｍｇのＨｇと、５１．２％のＮａＩ、６．８％のＴｌＩ、１６．６％のＬａＩ3および２５．４％のＣａＩ2という（重量パーセンテージの）ハロゲン化金属とを含みうる。これらのハロゲン化物の全体の線量重量は１２ｍｇでありうる。
【００２５】
接点に供給された電流は、フレーム部材とフィードスルーとを介して電極に到達し、電極の間にアークを生成する。一方の電極（例えば、図２Ａでは、フィードスルー２８に接続された電極）には安定器によりＡＣ動作電圧が提供され、他方の電極は反対の電位を有する。図２Ａにおいてフィードスルー３０に接続された電極は、接地することができる。点火電圧パルスとｒｍｓ動作電圧とが、安定器を介してランプに提供される。上述された一方の電極は、図２Ａおよび３のそれぞれについて示し説明されたものとは反対であることもありうることを諒解されたい。例えば、フィードスルー３０に接続された電極が安定器からの印加電圧すべてを受け取り、フィードスルー２８に接続された電極が接地されることもありうる。あるいは、ランプへの印加電圧が浮遊電圧であることもありうる。すなわち、それぞれの電極にＡＣサイクル（等しいが、符号が逆）で電圧が印加されることもありうる。
【００２６】
フォイル点火補助装置は、ランプの点火を改善するために用いられる。この点火補助装置は、フレーム部材（１８、８９）に固定されている導電性フォイル（２６、１０４）であって、アーク管の脚部をその脚部において延長するフィードスルーの周囲において包囲する導電性フォイル（２６、１０４）を含む。このフォイルは、それ自体が包囲しているフィードスルーから離れていて、アーク管脚部の電気的絶縁性セラミック材料により、フィードスルーから電気的に絶縁されている。理論的に拘束されることは望まないが、フォイル（２６、１０４）はコンデンサとして機能すると信じられている。フォイル点火補助装置と対向する側には、または、アーク管の中央部分には、アーク管脚部を包囲する導電体は存在しない。例えば、図１を参照すると、この例では、上側の脚部４２上にはまたは樽状部分３８上には、導電体が存在しない。フォイルは典型的には下側の電極の近くに配置されているが（図１）、その代わりに、図３に示されているように、フォイルが上側の電極の近くに配置されることもありうる。
【００２７】
図４〜６を参照すると、フォイル２６は、２つの端部１０６、１０８と、これら端部の間の中央部分１１０とを含む。中央部分１１０は、円形であり、フォイルの直線部分と共に、電気的絶縁性のアーク管脚部４２の周囲に閉ループを形成する。記載されている度数だけ脚部を包囲することに言及するのは、フォイルが脚部の円周と接触している角度を意味する。フォイルの一方の（第１の）端部１０６はフレーム部材１８に溶接され、フォイルの他方の（第２の）端部１０８は、中央部分１１０とフレーム部材１８に溶接された第１の端部１０６との間でフォイル２６に溶接されている。フォイルの第２の端部１０８は、脚部４２に可能な限り近接して溶接されることにより、フォイルとアーク管との間に形成される空間１１２が最小化される（図７〜９）。フォイルは、非対称に形成される。それは、フレーム部材１８に溶接されているより長い部分１１４と、フォイルに溶接されているより短い部分１１６とを含む（図６）。アーク管脚部を包囲する間に、フォイルは、脚部の円周の全部または一部と接触する。２つの溶接部であるアーク管脚部の包囲部とフォイルの閉ループとは、ランプの標準的な落下テストにも耐えて、フォイルと脚部とを接触した状態のまま維持するのに十分である。
【００２８】
フォイルがアーク管脚部を取り囲む包囲角度Φ（ファイ）の測定値は、脚部の端面図を示す図２０で見ることができる。この角度は、フレームからフォイルが円形のアーク管脚部に接触する点までの基準線を描き、アーク管脚部の円に接する線に到達するまで示されている度数の角度の分だけアーク管脚部の周囲を移動することによって、決定される。フォイルがアーク管脚部に接触しながらアーク管脚部を取り囲む包囲角度ファイは、少なくとも２７０度であり、特には少なくとも３００度であり、更に詳しくは少なくとも３２０度でありうる。包囲角度ファイは、３６０度を超えることはない。図７〜９に示されているように、３６０度からフォイルが脚部を取り囲む角度（包囲角度）を減算したものは、脚部上のフォイル部分１１４と１１６との間に存在しうる空間１１２の弧１１８を表す。空間１１２のこの弧１１８は、フォイルを曲げて溶接するのに用いられる器具の設計と制約とに応じて、９０度、６０度、４０度、５度、３度、またはゼロ度（理論的には）でありうる。フォイルが、脚部の周囲に、３６０度を超えて巻かれることはない。すなわち、脚部の周囲に複数回の巻数を生じるようにコイル状に巻かれているワイヤと同じではない。
【００２９】
図１０〜１５においてアーク管脚部の端部から見ると、基準面Ｒが、アーク管脚部４２の中心点とフレーム部材１８の中心点とを相互に接続している。フォイル２６は、フレーム部材上の溶接された点からアーク管脚部に向かって、基準面と平行に（図１２および１３）、基準面の方向に（図１４および１５）、または基準面から遠ざかる方向に（図１０および１１）移動するように、向きを決めることが可能である。
【００３０】
フォイルの幅ｗは、１．０ｍｍから４．０ｍｍの範囲にあり、更に詳しくは、１．０ｍｍから３．０ｍｍの範囲にあり、特に、１．０ｍｍから２．０ｍｍの範囲にある。フォイルの厚さは、０．２ｍｍ未満であり、更に詳しくは、０．０１ｍｍから０．１５ｍｍの範囲にあり、特に、０．０１ｍｍから０．０８ｍｍの範囲にあり、特定すると、０．０７６ｍｍでありうる。フォイルの厚さに対するフォイルの幅の比率は、６．６対１から４００対１の範囲にある。この開示のフォイルは、その幾何学的配置と生成されることが可能な電場との点で、ワイヤとは異なる。ある与えられた直径のワイヤについては幅と厚さとは同じであるから、ワイヤの厚さに対するワイヤの幅の比率は１対１であり、本開示のフォイルの厚さに対するフォイルの幅の比率よりもはるかに小さい。
【００３１】
フォイルがランプ始動現象の更なる強化となる理由について、以下で説明する。説明のために、従来型の放電ランプはフォイル始動補助装置を有しておらず、Ｋｒ85ガスとＡｒガスとを含むものとする。安定器が、アーク管の密封された放電領域に含まれている電極の間に高電圧の過渡パルスを印加するのに、用いられる。従来型の放電ランプでは、現在の政府の規制値（例えば、６．２ＭＢｑ／ｌ）を超える比較的高濃度のＫｒ85ガスが用いられ、そのようなランプの定格寿命にわたり信頼できる態様で放電が始動されることが可能になる。従来型の放電ランプにおいて生成される電場は、電極の間に印加された電圧／ギャップとして定義される。電極の間のギャップが大きければ大きいほど、電場は弱くなる。電場が弱ければ弱いほど、Ｋｒ85ガスと安定器によって提供される高電圧の電気パルスとが存在しているとしても、信頼可能な態様で放電を始動させることは困難になる。示されているように本開示のフォイル補助装置を含む図２Ａを参照すると、ランプにおける電場は、この場合にはギャップが例えばフォイルと隣接する電極との間に存在しているという事実により、はるかに強い。このギャップは、電極の間のギャップよりもはるかに小さいために、電場はずっと強くなり、電子雪崩の生成がはるかに容易になる。本質的には、フォイルが上側の電極に電気的に接続されているため、上側の電極がフォイルによって代替されるのである。
【００３２】
次に、本開示のランプについて、以下の例を参照して説明する。なお、以下の例では、特許請求の範囲によって記載される本発明を限定するように用いられるべきではない、より特定の情報が与えられる。
例１
この例は、ブダペスト大学と共に静電計算のために有限要素解析を用いて開発されたコムソルマルチフィジックス２０１０によるソフトウェアを用いて、セラミックメタルハライド放電ランプのために生成されたデータを説明している。ソフトウェアへの入力は、図１６および１７に示されている３９Ｗのランプのアーク管の幾何学的配置と、材料の性質と、印加される電圧である１ｋＶとであった。これらの図面に示されているアーク管と導体とは、寸法通りに描かれており、放電領域における電極の間の距離は４．３０ｍｍである。幾何学的配置は、電極上でコイルを用いないなどによって、これらの計算のために簡略化されている。脚部におけるフィードスルー導体と放電領域における電極とは、同じ材料で作られているものとして扱われた。これらの入力に基づいて、有限要素解析を用いて電場を計算した。
【００３３】
幾何学的な放電領域において有限要素解析によって解かれるマックスウェルの方程式は、次の通りである。ただし、以下の数式において、Ｖは電位、ε0は真空の誘電率、εrは与えられたモデルとなる空間における材料の誘電率、∇（ナブラ）はデカルト座標系（∂／∂ｘ）／（∂／∂ｙ）／（∂／∂ｚ）の３方向における方向微分、ρは自由電荷の体積濃度である。
ガウスの法則：∇Ｄ＝ρ
電位：  Ｅ＝−∇Ｖ
構成関係：  Ｄ＝ε0εrＥ
以上の方程式から、Ｖについて解かれる次の微分方程式が得られる。
−∇（ε0εr∇Ｖ）＝０
このソフトウェアは、様々な数値ソルバを用いるアダプティブメッシングと共に、有限要素解析を実行した。ＡＣ／ＤＣモジュールが、２および３次元での電磁気問題のシミュレーションのための環境を提供する。このソフトウェアは、電荷を移動させることなく、静的なモデリングを用いた。電場は、給電されている電極の先端において正規化されたスカラ値を用いて、測定された。フォイルの近位にある電極は、他方の電極がゼロ電位にある間、給電されている電極として扱われた。この給電されていない電極、フォイルおよびフレーム部材は、接地素子として扱われた。気体には１のεr値が与えられ、セラミックには１０のεr値が与えられ、そして、真空の空間には１のεr値が与えられた。
【００３４】
Ｅｍａｘに対するフォイル幅の効果を示すソフトウェアの出力が、１）フォイルを有していないセラミックメタルハライドランプ（下側のベースライン）と、２）アーク管の脚部を３４０度〜３５０度の角度の閉ループで包囲しておりフォイルの一端だけがフレーム部材に溶接されている（本開示によって作成された）非対称的なフォイルを有するように図示されている設計１のセラミックメタルハライドランプと、に対して、図１８Ａに示された。
【００３５】
図１８Ａは、フォイル幅が増加するにつれてＥｍａｘが増加することを示している。Ｅｍａｘが大きくなればなるほど、ランプを点火するための条件がよくなるのである。非対称的なフォイルのＥｍａｘは、フォイル幅が２ｍｍの場合、フォイルを有さないランプに対するベースラインよりも、２２％大きくなっている。
【００３６】
図１８Ｂには、図１８Ａを生じたデータを用いて準備されたＥｍａｘの変化（ｙ２−ｙ１）とフォイル幅との関係が示されている。Ｅｍａｘの変化は、最初に、約１．５ｍｍの幅において停止する。この図は、フォイルの幅が、少なくとも１．０ｍｍ、少なくとも１．５ｍｍ、または、より詳しくは、１．０ｍｍ〜４．０ｍｍ、１．０ｍｍ〜３．０ｍｍ、もしくは１．０〜２．０ｍｍの範囲において効果的であることを示している。フォイル幅の上限とは、シーリングフリットが位置するアーク管脚部の部分を被覆し、その脚部にクラックを生じさせるほどには広くないことである。また、フォイルは、アーク管を過渡に冷却するほどには、幅を広くすべきでない。
例２
図１９は、例１との関係で上述したのと同じソフトウェアおよび入力を用いて準備されたが、アーク管脚部のフランジの外部表面とフォイルの近位エッジとの間の距離ｄを、この図のアーク管の図解において示されているように変化させている点が異なっている。この図は、図１８Ａに示されているように、フォイルの設計１の図１６および図１７のアーク管を備えたセラミック放電ランプに対する、Ｅｍａｘについてのアーク管の中央部分からの距離の効果に関する静電シミュレーションの結果を示している。フォイルの幅は２ｍｍであった。下側の基準線は、フォイルを有していないセラミック放電ランプでは、Ｅｍａｘがはるかに小さいこと（約７．０ｘ１０5Ｖ／ｍ）を示している。更に、この図は、距離ｄが１ｍｍのときにはＥｍａｘは約９ｘ１０5Ｖ／ｍであり、これは、ｄが１０ｍｍのとき（７．５ｘ１０5Ｖ／ｍ未満）よりもずっと大きな値である。電荷の供給源は給電されている電極である。電場は、電荷の供給源から遠ざかるにつれて弱くなる。従って、給電されている電極とフォイルとの間の距離ｄが増大すると、Ｅｍａｘは減少する。値ｄは８．００ｍｍ未満であるか、または８．００ｍｍと等しいべきであり、更に詳しくは、２．００ｍｍ未満であるか、または２．００ｍｍと等しいべきである。Ｅｍａｘは少なくとも８ｘ１０5Ｖ／ｍであるべきであるが、Ｅｍａｘのこの値は、ｄの値が２．００ｍｍ未満であるか、または２．００ｍｍと等しいときに達成される。最小値として、フォイルの近位エッジは脚部の曲面状の表面の上に配置されるべきではない。その理由は、そのような配置がクラッキングを生じさせる可能性があるからである。
例３
図２０は、例１との関係で上述したのと同じソフトウェアおよび入力を用いて準備されたが、アーク管脚部の回りをフォイルが包囲する角度を１０度から３４０度までの角度の範囲にわたって変化させた点が異なっている。距離ｄは１．０ｍｍであり、フォイル幅は２．０ｍｍであった。この図は、アーク管脚部を約３４０度包囲しているときのＥｍａｘは、フォイル補助装置を有さないランプの場合よりも２８％大きいことを示している。また、フォイルが包囲する角度が僅かに１０度である場合と比較すると、包囲する角度が約３４０度である場合のＥｍａｘは、１８％大きい。この図からは、フォイルが包囲する角度（ファイ（φ）は、少なくとも２７０度であり、特に少なくとも３００度であり、更に詳しくは少なくとも３２０度から３６０度である。
例４
この例のすべてのコールドボックス測定値について、ＡＮＳＩ（米国国家規格協会）の要件であるＣ７８−３８９−２００４−ＭＯＭが遵守された。コールドボックス測定に先立ち、ランプを、測定の位置において３０分間の時間を経過させた。ランプが既に寿命試験ラックの上で通常の写真の間隔の時間を経過させてある場合には、コールドボックスが最初に行われる場合の３０分間の時間経過は不要である。ランプは、測定の前の６時間の間、コールドボックスにおける温度の状態に置かれた。補助的な始動回路を必要とするランプのためのランプ始動電圧要件に関しては、以下の正弦波開回路テスト電圧と次に記載されている最小パルス特性における始動パルスとが印加されるときに、示されている周囲温度で特定された時間内に始動する（表１）。特性は、ランプホルダの端子において測定される。パルスは、接地されたシェルを備えたランプ基部の中央端子に印加される。
【００３７】
【表１】
2014521194.tif 000003
次に示すのは、３９ワットのセラミックメタルハライドランプについて、フォイルがなくアルゴンとより高いレベルのＫｒ85とを用いる場合、または、本開示のフォイル補助装置（図１８Ａの設計１）を用いＫｒ85のレベルがより低い場合の比較テストである。フォイルは２ｍｍ幅であり、アーク管脚部のフランジから２．０ｍｍ離れた距離ｄの位置に配置されている。表２を作成するのに、ＡＮＳＩによる要件に従ったコールドボックステストにより、ゼロ時間動作させた後でランプを摂氏１０度に６時間維持した後で、また、１００時間動作させた後でランプを摂氏−３０度に６時間維持した後で、ランプの点火テストを行った。大きさが２．１ｋＶで幅が４マイクロ秒の点火パルスが、印加された。９５％のＬＣＬと９５％のＵＣＬとの項目は、対応する下側および上側の９５％の信頼限度において始動したランプの母集団のパーセンテージを表している。
【００３８】
【表２】
2014521194.tif 000004
Ｋｒ85のレベルが低い場合であっても、Ｋｒ85の含有量がより高いランプと全く同じ性能であることがわかる。これは、図１８Ａのフォイル点火補助装置がない場合には可能ではないだろう。
【００３９】
下記の表において示されているこのテストの光度測定結果は、フォイルが性能に対していかなる悪影響も有しないということを示している。ＬＰＷとは１ワットあたりのルーメンを意味し、ＣＣＴとは相関色温度を意味し、そしてＣＲＩとは演色評価数を意味する。
【００４０】
【表３】
2014521194.tif 000005
上の表におけるｐ値とは、２つの母集団が等価であるか異なるのかに関する統計的尺度である。ｐ値が０．０５よりも大きいことは、統計的には、２つの母集団からの同じパラメータが同一であることを意味する。
【００４１】
当業者にとっては、本発明の多くの修正および変更が、以上の開示から明らかであろう。従って、添付の特許請求の範囲の範囲内で、本発明を以上で特定的に示し説明したのとは異なる態様で実現可能であることを、理解できるはずである。
【符号の説明】
【００４２】
１０  セラミックメタルハライド高輝度放電ランプ
１２  外部シュラウドまたは電球
１４  アーク管
１６  ワイヤ
１８  ワイヤ
２０  ガラスピンチ部分
２２  リード線
２４  接触ピン
２６  導電性フォイル
２８  下側のフィードスルー
３０  上側のフィードスルー
３２  ガラス部分
３４  アーク管の側部
３６  電球の側壁
３８  樽状部分
４０  開口
４２  毛細管、脚部
４４  フランジ
４６  ボス
４８  内部放電領域
５０  内部フランジ表面
５２  外部フランジ表面
５４
５６  通路
５８  電極
６０  フィードスルー部分
６２  脚部の遠位部分
６４  フィードスルー部分
６６  遠位の脚部
６８  タングステン部分
７０  先端
７２  ガラスフリット
７６  近位エッジ
７８  遠位エッジ
８０  セラミックメタルハライド高輝度放電ランプ
８２  外部電球
８４  アーク管
８６  端部フレーム部材
８８  端部フレーム部材
９０  ピンチ部分
９２  接点
９４  フォイル
９６  導電性フィードスルー
９８  導電性フィードスルー
１００  アーク管の側部
１０２  外部電球の側壁
１０４  フォイル
１０６  端部
１０８  端部
１１０  中央部分
１１２  空間
１１４  長い部分
１１６  短い部分
１１８  弧
【図１】
2014521194.tif 000006
【図２Ａ】
2014521194.tif 000007
【図２Ｂ】
2014521194.tif 000008
【図３】
2014521194.tif 000009
【図４】
2014521194.tif 000010
【図５】
2014521194.tif 000011
【図６】
2014521194.tif 000012
【図７】
2014521194.tif 000013
【図８】
2014521194.tif 000014
【図９】
2014521194.tif 000015
【図１０】
2014521194.tif 000016
【図１１】
2014521194.tif 000017
【図１２】
2014521194.tif 000018
【図１３】
2014521194.tif 000019
【図１４】
2014521194.tif 000020
【図１５】
2014521194.tif 000021
【図１６】
2014521194.tif 000022
【図１７】
2014521194.tif 000023
【図１８Ａ】
2014521194.tif 000024
【図１８Ｂ】
2014521194.tif 000025
【図１９】
2014521194.tif 000026
【図２０】
2014521194.tif 000027
【国際調査報告】
2014521194.tif 000028
2014521194.tif 000029
2014521194.tif 000030
2014521194.tif 000031
2014521194.tif 000032
2014521194.tif 000033